【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
複数の機能に対応して設けられた複数のコマンドを有する情報信号処理装置と、前記情報信号処理装置とのデータのやり取りを行うサーバとで構成される情報提示システムにおいて、
前記情報信号処理装置は、
操作入力を受け付け、前記操作入力によって選択されたコマンドに応じた信号を生成する操作部と、
前記操作部に含まれ、前記コマンドに対応する表記を表示するとともに、前記表記されたコマンドの選択操作を受け付けた場合には、前記コマンドに対応する信号を生成して出力するコマンド表示入力部と、
前記操作部に対して行われた操作入力内容を蓄積して操作履歴情報を生成する操作履歴記憶部と、
前回選択操作を受け付けたコマンドである第１のコマンドと、前記操作部への操作入力によって選択されたコマンドである第２のコマンドとの関連度を、前記第１のコマンドと前記第２のコマンドとの組み合わせの種類毎に算出し、前記第１のコマンドと関連付けられた各第２のコマンドに対して、前記第１のコマンドとの関連度が高い順に順位を割り振って第１の表示順位情報を生成するコマンド関連度算出部と、
前記操作履歴記憶部に記憶された操作履歴情報と、前記第１の表示順位情報とを前記サーバに出力するとともに、前記サーバから出力された第２の表示順位情報を受け付ける入出力部と、
前記操作部への操作入力によって選択されたコマンドと同じ種類の前記第１のコマンドを、前記第１の表示順位情報と前記第２の表示順位情報のうち、ユーザによって選択された少なくとも１つ以上の表示順位情報の中から選択し、前記表示順位情報において、前記選択された第１のコマンドと関連付けられている前記第２のコマンドを、前記第１のコマンドとの関連度が高い順に所定数抽出して出力する表示コマンド抽出部とを備え、
前記サーバは、
前記情報信号処理装置から出力された操作履歴情報に基づいて、前記情報信号処理装置のユーザを、前記操作履歴情報の種類毎に設けられた区分であるコミュニティのうちのいずれかに分類するユーザ分類部と、
前記ユーザが分類されたコミュニティ毎に、前記コミュニティに分類されたすべてのユーザから送信された表示順位情報を基に前記第２の表示順位情報を生成するコミュニティ表示順位算出部と、
前記コミュニティ表示順位算出部で算出された第２の表示順位情報を前記情報信号処理装置に出力する出力部とを備え、
前記情報信号処理装置のコマンド表示入力部は、前記表示コマンド抽出部から出力された所定数の前記第２のコマンドに対応する表記を、前記第２のコマンドに割り振られた順位が高い順に表示する
情報提示システム。
【請求項２】
請求項１記載の情報提示システムにおいて、
前記サーバの前記コミュニティ表示順位算出部は、
前記コミュニティに分類されたすべてユーザから送信された表示順位情報における、前記第２のコマンドに割り振られた順位を、前記第１のコマンドと前記第２のコマンドとの組み合わせ毎に加算して順位の総計を算出し、前記総計の値が小さい順に新たな順位を割り振ることで、前記第２の表示順位情報を生成する
情報提示システム。
【請求項３】
請求項２記載の情報提示システムにおいて、
前記サーバは、
その操作内容が前記ユーザにとって参考になる可能性の高い特定のユーザの情報と、前記特定のユーザの操作履歴情報に基づいて算出された表示順位情報を記憶する特定ユーザ表示順位情報記憶部と、
前記コミュニティ表示順位算出部で算出された前記第２の表示順位情報と、前記特定ユーザ表示順位情報記憶部に記憶された前記特定のユーザによる表示順位情報とを記憶するコミュニティ表示順位記憶部と、
前記第２の表示順位情報に、前記特定のユーザによる表示順位情報を含めて前記出力部に出力するコミュニティ表示順位記憶部とを備えた
情報提示システム。
【請求項４】
請求項３記載の情報提示システムにおいて、
前記サーバは、
前記情報信号処理装置から出力された前記操作履歴情報のうち、その操作履歴に所定の特徴があるものを抽出し、前記抽出した操作履歴情報の送信元の情報信号処理装置のユーザを、前記特定のユーザとして記憶する特定ユーザ抽出部を備えた
情報提示システム。
【請求項５】
請求項４記載の情報提示システムにおいて、
前記サーバは、前記情報信号処理装置から出力された前記操作履歴情報の統計をとり、統計の結果を前記ユーザ分類部に出力するログデータ処理部を備えた
情報提示システム。
【請求項６】
請求項５記載の情報提示システムにおいて、
前記情報信号処理装置の操作履歴記憶部に記憶される操作履歴情報には、前記コマンドの生成を目的として前記操作部に対して行われた操作における、操作開始時間情報及び操作終了時間情報と、前記操作に基づいて生成されたコマンドの種類の情報とが含まれ、
前記サーバのログデータ処理部は、前記情報信号処理装置から出力された操作履歴情報に基づいて、前記操作が行われた操作時間と、前記操作が行われた操作頻度を算出するとともに、前記算出した操作時間と操作回数を積算して操作量を算出することで前記操作履歴情報の統計をとる
情報提示システム。
【請求項７】
請求項６記載の情報提示システムにおいて、
前記サーバの特定ユーザ抽出部は、前記ログデータ処理部で算出された前記操作頻度の値、前記操作時間の値、前記操作量の値のそれぞれにおける最大値に注目し、前記最大値の元データである前記操作履歴情報を出力した前記情報信号処理装置のユーザを、前記特定のユーザとして抽出する
情報提示システム。
【請求項８】
請求項６記載の情報提示システムにおいて、
前記サーバのログデータ処理部は、前記操作時間、前記操作頻度、前記操作量を前記第２のコマンドの種類毎に算出し、
前記サーバのユーザ分類部は、前記ログデータ処理部で算出された操作量の値が最も大きい前記第２のコマンドの種類と前記操作量の値の大きさに基づいて、前記ユーザを、前記第２のコマンドの種類と前記操作量の値の大きさの段階によって区分したコミュニティのいずれかに分類する
情報提示システム。
【請求項９】
請求項５記載の情報提示システムにおいて、
前記サーバのユーザ分類部は、前記ユーザに対して実施されたアンケートの結果情報と、前記ログデータ処理部による算出結果とに基づいて、前記ユーザを、前記アンケートの結果情報と前記ログデータ処理部の算出結果とによって区分したコミュニティのいずれかに分類する
情報提示システム。
【請求項１０】
請求項９記載の情報提示システムにおいて、
前記情報信号処理装置の操作履歴記憶部に記憶される操作履歴情報には、前記ユーザからの操作入力に基づいて前記コマンドに対して設定された設定値情報を含み、
前記サーバのログデータ処理部は、前記設定値の平均値を前記コマンドの種類毎に算出し、
前記サーバのコミュニティ表示順位算出部は、前記コマンドの種類毎に算出された設定値を基に、コミュニティとしての設定値を算出し、前記コミュニティとしての設定値とそれに対応するコマンドの種類とを、前記コミュニティ表示順位記憶部に出力する
情報提示システム。
【請求項１１】
請求項４記載の情報提示システムにおいて、
前記情報信号処理装置は制御部を備え、
前記制御部は、前記ユーザからの操作入力に基づいて、前記操作部から、前記サーバのコミュニティ表示順位記憶部に記憶された前記第２の表示順位情報の一覧を取得するための操作信号が出力された場合に、前記入出力部に表示順位情報一覧取得要求を出力し、前記表示順位情報一覧取得要求に応じて前記サーバから出力された表示順位情報一覧を表示させるための表示制御信号を出力し、前記ユーザからの操作入力に基づいて前記表示順位情報一覧の中から所定の表示順位情報が選択された場合には、前記所定の表示順位情報の取得要求を前記入出力部に出力し、前記所定の表示順位情報の取得要求に応じて前記サーバから出力された表示順位情報を、前記第２の表示順位情報として記憶させる処理を行う
情報提示システム。
【請求項１２】
請求項５記載の情報提示システムにおいて、
前記第１のコマンド及び第２のコマンドは、文字又は記号で構成され、
前記情報信号処理装置の操作履歴記憶部に記憶される操作履歴情報には、前記第２のコマンドの入力終了時間と、前記第２のコマンドの種類と、前記コマンドの送信先情報とが含まれ、
前記サーバのログデータ処理部は、前記情報信号処理装置から出力された操作履歴情報に基づいて、前記コマンドの送信先の種類毎の前記第２のコマンドの出現頻度を算出することで前記操作履歴情報の統計をとる
情報提示システム。
【請求項１３】
請求項１１記載の情報提示システムにおいて、
前記コマンドの送信先とは、電子メールの送信先であり、
前記サーバのログデータ処理部は、前記情報信号処理装置から出力された操作履歴情報を基に、そのユーザにおける電子メールの総送信数、前記電子メールの送信先毎の電子メールの送信数、電子メール１通あたりのコマンド数を算出し、
前記サーバの特定ユーザ抽出部は、前記電子メールの総送信数、前記電子メールの送信先毎の電子メールの送信数、電子メール１通あたりのコマンド数のいずれかの値が最も大きいユーザを、前記特定ユーザとして抽出する
情報提示システム。
【請求項１４】
請求項１３記載の情報提示システムにおいて、
前記サーバのユーザ分類部は、前記第２のコマンドの出現頻度の大きさに応じて、前記ユーザを、前記コマンドの送信先と前記第２のコマンドの種類とによって区分したコミュニティのいずれかに分類する
情報提示システム。
【請求項１５】
複数の機能に対応して設けられた複数のコマンドを有し、サーバとの間でデータのやり取りを行う情報信号処理装置において、
操作入力を受け付け、前記操作入力によって選択されたコマンドに応じた信号を生成する操作部と、
前記操作部に含まれ、前記コマンドに対応する表記を表示するとともに、前記表記されたコマンドの選択操作を受け付けた場合には、前記コマンドに対応する信号を生成して出力するコマンド表示入力部と、
前記操作部に対して行われた操作入力内容を蓄積して操作履歴情報を生成する操作履歴記憶部と、
前回選択操作を受け付けたコマンドである第１のコマンドと、前記操作部への操作入力によって選択されたコマンドである第２のコマンドとの関連度を、前記第１のコマンドと前記第２のコマンドとの組み合わせの種類毎に算出し、前記第１のコマンドと関連付けられた各第２のコマンドに対して、前記第１のコマンドとの関連度が高い順に順位を割り振って第１の表示順位情報を生成するコマンド関連度算出部と、
前記操作履歴記憶部に記憶された操作履歴情報と、前記第１の表示順位情報とを前記サーバに出力するとともに、前記サーバによって、複数の情報信号処理装置から出力された前記操作履歴情報と前記第１の表示順位情報に基づいて生成された第２の表示順位情報を受け付ける入出力部と、
前記操作部への操作入力によって選択されたコマンドと同じ種類の前記第１のコマンドを、前記第１の表示順位情報と前記第２の表示順位情報のうち、ユーザによって選択された少なくとも１つ以上の表示順位情報の中から選択し、前記表示順位情報において、前記選択された第１のコマンドと関連付けられている前記第２のコマンドを、前記第１のコマンドとの関連度が高い順に所定数抽出して出力する表示コマンド抽出部とを備え、
前記コマンド表示入力部は、前記表示コマンド抽出部から出力された所定数の前記第２のコマンドに対応する表記を、前記第２のコマンドに割り振られた順位が高い順に表示する
情報信号処理装置。
【請求項１６】
請求項１５記載の情報信号処理装置において、
前記コマンド関連度算出部によって算出された表示順位情報を記憶する第１の表示順位情報記憶部と、
前記サーバから出力された前記第２の表示順位情報を記憶する第２の表示順位情報記憶部とを備え、
前記コマンド関連度算出部は、算出した表示順位情報を前記第１の表示順位情報記憶部にのみ出力する
情報信号処理装置。
【請求項１７】
請求項１６記載の情報信号処理装置において、
前回第１のコマンドと前記第２のコマンドとが時間的に連続して入力される頻度を算出する入力頻度算出部と、
前記第１のコマンドの選択が解除されてから前記第２のコマンドが入力されるまでに要した前記操作部での操作回数及び操作速度を基に、コマンド間の移動速度を算出する移動速度算出部とを備え、
前記コマンド関連度算出部は、前記入力頻度算出部で算出された入力頻度と、前記移動速度算出部で算出された移動速度とを積算して得た値に基づいて、前記第１のコマンドと前記第２のコマンドとの関連度を算出する
情報信号処理装置。
【請求項１８】
請求項１７記載の情報信号処理装置において、
前記コマンド関連度算出部は、前記算出した第１のコマンドと前記第２のコマンドとの関連度を、前記第１のコマンドの種類毎に加算して総計を算出し、前記関連度を前記総計で除算することにより、前記関連度が前記総計に占める比率を算出し、前記算出された比率が高い順に順位を割り振る
情報信号処理装置。
【請求項１９】
サーバとの間でデータのやり取りを行う情報信号処理装置における情報信号処理方法において、
操作入力を受け付け、前記操作入力によって選択されたコマンドに応じた信号を生成する手順と、
前記操作入力内容を蓄積して操作履歴情報を生成する手順と、
前回選択操作を受け付けたコマンドである第１のコマンドと、前記操作入力によって選択されたコマンドである第２のコマンドとの関連度を、前記第１のコマンドと前記第２のコマンドとの組み合わせの種類毎に算出し、前記第１のコマンドと関連付けられた各第２のコマンドに対して、前記第１のコマンドとの関連度が高い順に順位を割り振って第１の表示順位情報を生成する手順と、
前記操作履歴情報と、前記第１の表示順位情報とを前記サーバに出力するとともに、前記サーバによって、前記操作履歴情報と前記第１の表示順位情報に基づいて生成された第２の表示順位情報を受け付ける手順と、
前記操作入力によって選択されたコマンドと同じ種類の前記第１のコマンドを、前記第１の表示順位情報と前記第２の表示順位情報のうち、ユーザによって選択された少なくとも１つ以上の表示順位情報の中から選択し、前記表示順位情報において前記選択された第１のコマンドと関連付けられている前記第２のコマンドを、前記第１のコマンドとの関連度が高い順に所定数抽出して出力する手順と、
前記表示コマンド抽出部から出力された所定数の前記第２のコマンドに対応する表記を、前記第２のコマンドに割り振られた順位が高い順に表示し、前記表記されたコマンドの選択操作を受け付けた場合には、前記コマンドに対応する信号を生成して出力する手順とを備えた
情報信号処理方法。
【請求項２０】
コンピュータの複数の機能に対応して設けられた複数のコマンドに関する表記を、前記コマンドに割り振られた表示順位に従って所定の領域に表示させるためのデータを記録したコンピュータ読み取り可能な記録媒体であって、
ユーザにより選択された実績のある第１のコマンドと、前記ユーザのコマンド選択操作履歴情報に基づいて前記第１のコマンドとの関連度が高いとされた複数の第２のコマンドとの対応情報と、前記第２のコマンドに対して、前記第１のコマンドとの関連度が高い順に割り振られた順位情報とを含むデータ構造を有する
コンピュータ読み取り可能な記録媒体。